(57)【要約】  【課題】  不正受信の疑いのある着信番号にも発信する場合、自らの電話番号を相手側に誤って通知してしまわないようにした電話機等を提供する。  【解決手段】  Ｐ制御部５６が、履歴電話番号を複数種類に分別してＲＡＭ５２に記憶させる一方、その複数種類に分けられた履歴電話番号のうち「不明瞭な電話番号」に発信が行われようとする場合、自らの発信電話番号を発信先で非通知とする非通知処理を施す。【選択図】      図１
2006217345.tif 000002
【特許請求の範囲】
【請求項１】
着信電話番号を履歴電話番号として、記憶部に記憶するとともに、この履歴電話番号に基づいて発信命令を出す制御部が備えられた電話機において、
上記制御部は、上記の履歴電話番号を複数種類に分別して上記記憶部に記憶させる一方、上記の複数種類に分けられた履歴電話番号の少なくとも１種における履歴電話番号に発信が行われる場合には、上記制御部は、自らの発信電話番号を発信先で非通知とする非通知処理を施すことを特徴とする電話機。
【請求項２】
着信電話番号を履歴電話番号として、記憶部に記憶するとともに、この履歴電話番号に基づいて発信命令を出す制御部と、その発信命令の可否を決定づける操作部とが備えられた電話機において、
上記制御部が、上記の履歴電話番号を複数種類に分別して上記記憶部に記憶させ、上記の複数種類に分けられた履歴電話番号の少なくとも１種における履歴電話番号に発信が行われる場合、上記操作部によって、上記制御部に対し、自らの発信電話番号を発信先で非通知とする非通知処理を施すか否かが選択可能になっていることを特徴とする電話機。
【請求項３】
上記操作部によって、非通知処理を施さない選択がされた場合、
上記制御部は、発信を停止させるようになっていることを特徴とする請求項２に記載の電話機。
【請求項４】
上記の複数種類に分けられた履歴電話番号の少なくとも１種における履歴電話番号に発信が行われる場合、その発信の旨を報知する報知部が設けられていることを特徴とする請求項１〜３のいずれか１項に記載の電話機。
【請求項５】
上記の複数種類に分けられた履歴電話番号の少なくとも１種における履歴電話番号に発信が行われた後、上記制御部が、その発信した履歴番号からの着信を拒否するか否かの決定を催促する旨を上記報知部に報知させることを特徴とする請求項４に記載の電話機。
【請求項６】
上記報知部が、表示部または放音部であることを特徴とする請求項４に記載の電話機。
【請求項７】
着信を受けたとき、その着信による呼出時間を計測する呼出時間計測部が設けられ、上記制御部は、上記の計測された呼出時間に応じて、その着信電話番号の種類を決定し、上記履歴電話番号として記憶させることを特徴とする請求項１〜６のいずれか１項に記載の電話機。
【請求項８】
着信を受けたとき、その着信による呼出回数をカウントする呼出回数カウント部が設けられ、上記制御部は、上記のカウントされた呼出回数に応じて、その着信電話番号の種類を決定し、上記履歴電話番号として記憶させることを特徴とする請求項１〜７のいずれか１項に記載の電話機。
【請求項９】
着信を受けたとき、
上記制御部は、その着信電話番号が上記記憶部に既に履歴電話番号として登録されているか否かに応じて、その着信電話番号の種類を決定し上記履歴電話番号として記憶させることを特徴とする請求項１〜８のいずれか１項に記載の電話機。
【請求項１０】
着信電話番号を履歴電話番号として記憶するとともに、この履歴電話番号に基づいて発信を行う電話機の制御方法において、上記の履歴電話番号を複数種類に分別して記憶させる記憶工程と、上記の複数種類に分けられた履歴電話番号の少なくとも１種における履歴電話番号に発信させる発信工程と、上記発信工程での自らの発信電話番号を、発信先で非通知とする非通知処理を施す非通知処理工程と、を含むことを特徴とする電話機の制御方法。
【請求項１１】
着信電話番号を履歴電話番号として記憶するとともに、この履歴電話番号に基づいて発信を行う電話機の制御方法において、上記の履歴電話番号を複数種類に分別して記憶させる記憶工程と、上記の複数種類に分けられた履歴電話番号の少なくとも１種における履歴電話番号に発信させる発信工程と、上記発信工程での自らの発信電話番号を、発信先で非通知とする非通知処理を施すか否かを選択する選択工程と、を含むことを特徴とする電話機の制御方法。
【請求項１２】
上記選択工程において、非通知処理を施さない選択がされた場合、上記発信を停止させる発信停止工程が行われることを特徴とする請求項１１に記載の電話機の制御方法。
【請求項１３】
上記記憶工程では、着信を受けたとき、その着信による呼出時間を計測し、その計測された呼出時間に応じて、その着信電話番号の種類を決定し、上記履歴電話番号として記憶されていることを特徴とする請求項１０〜１２のいずれか１項に記載の電話機の制御方法。
【請求項１４】
上記記憶工程では、着信を受けたとき、その着信による呼出回数をカウントし、そのカウントされた呼出回数に応じて、その着信電話番号の種類を決定し、上記履歴電話番号として記憶されていることを特徴とする請求項１０〜１３のいずれか１項に記載の電話機の制御方法。
【請求項１５】
上記記憶工程では、着信を受けたとき、その着信電話番号が既に履歴電話番号として登録されているか否かに応じて、その着信電話番号の種類を決定し、上記履歴電話番号として記憶されていることを特徴とする請求項１０〜１４のいずれか１項に記載の電話機の制御方法。
【請求項１６】
着信電話番号を履歴電話番号として、記憶部に記憶するとともに、この履歴電話番号に基づいて発信命令を出す制御部が備えられた電話機の制御プログラムにおいて、上記制御部に、上記の履歴電話番号を複数種類に分別して上記記憶部に記憶させる一方、上記の複数種類に分けられた履歴電話番号の少なくとも１種における履歴電話番号に発信が行われた場合、上記制御部に、自らの発信電話番号を発信先で非通知とする非通知処理を施すように機能させることを特徴とする電話機の制御プログラム。
【請求項１７】
着信電話番号を履歴電話番号として、記憶部に記憶するとともに、この履歴電話番号に基づいて発信命令を出す制御部と、その発信命令の可否を決定づける操作部とが備えられた電話機の制御プログラムにおいて、上記制御部に、上記の履歴電話番号を複数種類に分別して上記記憶部に記憶させる一方、上記の複数種類に分けられた履歴電話番号の少なくとも１種における履歴電話番号に発信が行われたる場合、上記操作部での操作を受け、上記制御部に、自らの発信電話番号を発信先で非通知とする非通知処理を施すか否かを選択させるように機能させることを特徴とする電話機。
【請求項１８】
上記操作部での操作を受け、非通知処理を施さない選択がされた場合、上記制御部に、発信を停止させるように機能させることを特徴とする請求項１７に記載の電話機の制御プログラム。
【請求項１９】
着信を受けたとき、その着信による呼出時間を計測する呼出時間計測部が設けられ、上記制御部に、上記の計測された呼出時間に応じて、その着信電話番号の種類を決定し、上記履歴電話番号として記憶させるように機能させることを特徴とする請求項１６〜１８のいずれか１項に記載の電話機の制御プログラム。
【請求項２０】
着信を受けたとき、その着信による呼出回数をカウントする呼出回数カウント部が設けられ、上記制御部に、上記のカウントされた呼出回数に応じて、その着信電話番号の種類を決定し、上記履歴電話番号として記憶させるように機能させることを特徴とする請求項１６〜１９のいずれか１項に記載の電話機の制御プログラム。
【請求項２１】
着信を受けたとき、上記制御部に、その着信電話番号が上記記憶部に既に履歴電話番号として登録されているか否かに応じて、その着信電話番号の種類を決定し上記履歴電話番号として記憶させるように機能させることを特徴とする請求項１６〜２０のいずれか１項に記載の電話機の制御プログラム。
【請求項２２】
請求項１６〜２１のいずれか１項に記載の電話機の制御プログラムを記録したコンピューター読み取り可能な記録媒体。
【発明の詳細な説明】
【技術分野】
【０００１】
本発明は、電話機（例えば携帯電話機）、およびその電話機の制御方法等に関するものであり、特に、不正着信（俗にいう「ワン切り」）に対する防御対策となっている。
【背景技術】
【０００２】
近年、携帯電話機に対して、迷惑電話や悪意のある着信が多く行われている現状がある。特に、「ワン切り」と呼ばれる不正着信が多くなっている。
【０００３】
この「ワン切り」とは、故意に着信時の呼出回数を少なくして回線を切断し、相手側の携帯電話機に対して、発信者の電話番号を着信履歴として残させ、折り返し電話をさせるというものである。
【０００４】
そして、この折り返しユーザーのかけた電話は、有料サービスであるダイヤルＱ２等の回線に接続されるようになっている。そのため、ユーザーに、知らない間に高額な請求がされてしまうおそれがある。
【０００５】
かかるような事態を防止すべく、特許文献１の携帯電話機（携帯電話装置）では、相手側の着信時間が予め定めた設定時間以内であれば、その着信を不正着信とみなし（具体的には、不正着信番号として登録し）、次にその相手側からの電話を（着信を）拒否するようになっている。
【特許文献１】特開２００４−４８２６４号公報
【発明の開示】
【発明が解決しようとする課題】
【０００６】
しかしながら、このような特許文献１の携帯電話機では、予め定めた設定時間内の着信を不正着信とみなしてしまう。そのため、着信時の呼出回数を少なくせざるをえなかった善意の相手側の着信までも不正着信とみなしてしまう。つまり、あらゆる短時間での着信が不正着信とみなされ、不正着信番号として登録されてしまうようになっている。
【０００７】
特に、この携帯電話機では、不正着信番号はユーザーによって視認できないようになっているので、ユーザーが善意の相手側に電話しようとしても、電話できないという問題が生じ得る。
【０００８】
本発明は、上記の問題点を解決するためになされたものであって、不正受信の疑いのある着信番号にも発信できる一方、かかる場合、自らの電話番号を相手側に誤って通知してしまわないようにした電話機（例えば携帯電話機）等を提供することにある。
【課題を解決するための手段】
【０００９】
本発明は、着信電話番号を履歴電話番号として、記憶部に記憶するとともに、この履歴電話番号に基づいて発信命令を出す制御部が備えられた電話機であって、上記制御部は、上記の履歴電話番号を複数種類に分別して上記記憶部に記憶させる一方、上記の複数種類に分けられた履歴電話番号の少なくとも１種における履歴電話番号に発信が行われる場合には、上記制御部は、自らの発信電話番号を発信先で非通知とする非通知処理を施すことを特徴としている。
【００１０】
また、本発明は、着信電話番号を履歴電話番号として、記憶部に記憶するとともに、この履歴電話番号に基づいて発信命令を出す制御部と、その発信命令の可否を決定づける操作部とが備えられた電話機であって、上記制御部が、上記の履歴電話番号を複数種類に分別して上記記憶部に記憶させ、上記の複数種類に分けられた履歴電話番号の少なくとも１種における履歴電話番号に発信が行われる場合、上記操作部によって、上記制御部に対し、自らの発信電話番号を発信先で非通知とする非通知処理を施すか否かが選択可能になっている。
【００１１】
これらの発明によると、例えば不正受信の疑いのある着信電話番号も不明瞭な履歴電話番号として、一応登録されるようになっている。つまり、あらゆる着信電話番号は登録されるものの、種類を分けて記憶されるようになっている。
【００１２】
そして、不明瞭な履歴電話番号に該当する種類に発信しようとする場合、自らの電話番号を相手側に通知させないようにできる。つまり、本発明の電話機では、不正受信の疑いのある着信電話番号にも発信できる一方、かかる場合、自らの電話番号を相手側に誤って通知できないようになっている。
【発明の効果】
【００１３】
本発明では、相手先が不明瞭な場合（例えば、「ワン切り」を行った業者の疑いがある場合）、自らの電話番号を相手側に通知させないようにできる。つまり、本発明の電話機では、不明瞭な相手先にも発信は可能であるが、かかる場合、自らの電話番号を相手側に誤って通知できないようになっている。そのため、情報流出を確実に防止できる安全性の高い電話機となっている。
【発明を実施するための最良の形態】
【００１４】
本発明の実施の一形態について、図面に基づいて説明すれば、以下の通りである。
［実施の形態１］
図２は、本発明の携帯電話機（電話機）６９の内部構成を示すブロック図である。
〔携帯電話機の構成について〕
図２に示すように携帯電話機６９は、無線ユニット１１、通話ユニット１５、報知ユニット２１、カメラユニット２５、入力ユニット３１、外部機器接続端子部３５、電源ユニット４１、おとび制御ユニット４５を含むように構成されている。
【００１５】
無線ユニット１１は、ベースバンド部１２、携帯電話機通信部１３、およびアンテナ（携帯電話機用アンテナ）１４を含むように構成されている。
【００１６】
そして、ベースバンド部１２は、ＣＤＭＡ（Code Division Multiple Access）処理回路１２ａおよび音声ＣＯＤＥＣ処理回路１２ｂを含むように構成されている。
【００１７】
ＣＤＭＡ処理回路１２ａは、符号分割多重接続を行う回路である。つまり、不図示の基地局からの電波信号（複数の発信者の音声信号にそれぞれ異なる符号を乗算し、すべての音声信号を合成して１つの周波数を使って送られてきた信号）を受信し、所望の相手の符号を合成信号に乗算することにより、相手の音声信号のみを取り出すようになった回路である。
【００１８】
音声ＣＯＤＥＣ処理回路１２ｂは、音声信号を圧縮（符号化）・伸長（復号化）させたり、Ａ／Ｄ（アナログ／デジタル）変換・Ｄ／Ａ変換させたりするものである。
【００１９】
また、携帯電話機通信部１３は、アンテナ１４を介して基地局（不図示）からの電波信号を受信したり、ベースバンド部１２からの送信信号を基地局に向けて発信させたりするものである。
【００２０】
そして、通話ユニット１５は、通話用スピーカー１６、通話用マイクロフォン１７、および外部用スピーカー１８と、これらの通話用スピーカー１６、通話用マイクロフォン１７、および外部用スピーカー１８のそれぞれにつながる増幅回路１６ａ・１７ａ・１８ａとを含むように構成されている。
【００２１】
通話用スピーカー１６は、ユーザーが通話等のための音声を発するものである。なお、この通話用スピーカー１６につながる増幅回路（ＴＳ増幅回路）１６ａは、ベースバンド部１２からの電気信号を音声（音声信号）に変換するようになっている。
【００２２】
通話用マイクロフォン１７は、ユーザーの発する声（音声）等を集音するものである。なお、この通話用マイクロフォン１７につながる増幅回路（ＴＭ増幅回路）１７ａは、音声（音声信号）を電気信号に変換して、ベースバンド部１２へと送信するようになっている。
【００２３】
外部用スピーカー１８は、例えば通話内容の音声を周囲の人に聞かせたり、着信音（基地局からの電波信号を受信したときに鳴らす音）を鳴動（放音）させたりするものである。したがって、周囲の人等にも聞き取りやすくするために、この外部用スピーカー１８は、例えば通話用スピーカー１６の配設面に対する背面側に設置されるようになっている。
【００２４】
なお、この外部用スピーカー１８につながる増幅回路（ＯＳ増幅回路）１８ａは、ＴＳ増幅回路１６ａと同様に、ベースバンド部１２からの電気信号を音声（音声信号）に変換するようになっている。
【００２５】
そして、この外部用スピーカー１８は、放音によってユーザーに対して知らしめる機能を有するともいえるので、後述の報知ユニット２１と表現してもよい
また、通話用スピーカー１６の通話音量や通話用マイクロフォン１７の集音感度は、音声ＣＯＤＥＣ処理回路１２Ｂによって、適宜変更されるようになっている。
【００２６】
そして、報知ユニット２１は、ＬＥＤ２２、表示部２３、およびバイブレーター２４を含むように構成されている。
【００２７】
ＬＥＤ（Light Emitting Diode）２２は、携帯電話機６９が基地局からの電波信号を受信したとき等に光らせる発光部である。
【００２８】
表示部２３は、例えばバックライト装置・液晶表示パネルから構成されており、発着信の電話番号や時刻、内蔵充電池４３（後述）の残量、通話圏内か否かの判別結果表示、文字メッセージ（メール内容等）、または音声メッセージの有無等の文字情報等を表示させるものである。
【００２９】
バイブレーター２４は、携帯電話機６９が基地局からの電波信号を受信したとき等に、本体（携帯電話機６９）を振動させるための振動部である。
【００３０】
そして、カメラユニット２５は、レンズ・ＣＣＤ（Charge Coupled Devices）等を含めた撮影部２６、およびフラッシュ部（補助光源）２７を含むように構成されている。
【００３１】
撮影部２６はレンズを介して取得した光像をＣＣＤによって電気信号に変換させるものである。フラッシュ部２７は、光像を取得するための補助光源である。
【００３２】
なお、このフラッシュ部２７も発光することから、ユーザーに対して知らしめる機能を有するともいえるので、報知ユニット２１と表現してもよい。
【００３３】
そして、入力ユニット（操作部）３１は、種々の入力動作を行うためのキー群であり、少なくとも、テンキー３１ａ、通話キー３１ｂ、終話キー３１ｃ、ライトキー３１ｄ、および４方向キー３１ｅ・ＥＮＴＥＲキー３１ｆを含むように構成されている。
【００３４】
テンキー３１ａは、例えば電話番号等の数字の入力や、メール内容等の文字の入力等を行うためのキーである。
【００３５】
通話キー３１ｂは、通話用スピーカー１６による通話内容の放音、および通話用マイクロフォン１７によるユーザーの声等の集音を開始させるためのキーである。
【００３６】
終話キー３１ｃは、通話用スピーカー１６・通話用マイクロフォン１７の動作を停止させるためのキーである。
【００３７】
ライトキー３１ｄは、ユーザーによって、フラッシュ部２７を発光させるためのキーである。
【００３８】
４方向キー３１ｅ ・ＥＮＴＥＲキー３１ｆは、各種操作を行わせるものである。
【００３９】
そして、外部機器接続端子部３５は、例えば外付けスピーカー３６や外付けマイクロフォン３７（これらを外部機器とする）を本体（携帯電話機６９）に接続するための端子部である。なお、このような外付けスピーカー３６や外付けマイクロフォン３７の一例としては、車両に乗ったユーザーによって使用されるハンズフリー通話セット等が挙げられる。
【００４０】
そして、電源ユニット４１は、充電装置接続部４２、内蔵充電池（蓄電地）４３、および切替スイッチ４４を含むように構成されている。
【００４１】
充電装置接続部４２は、充電装置７９から供給される電力（例えばＤＣ１２Ｖ）を受けて、内蔵充電池４３の電圧（例えばＤＣ３．６Ｖ）よりも若干高い電圧（例えば４．１Ｖ）に変換するものである。
【００４２】
内蔵充電池４３は、充電装置７９から供給される電力を充電装置接続部４２を介して蓄電するものである。
【００４３】
切替スイッチ４４は、携帯電話機６９の「駆動電力」（図２参照）として、充電装置７９からの供給電力を用いるか、内蔵充電池４３からの供給電力を用いるかを選択するものである。
【００４４】
そして、制御ユニット５９は、切替回路５１、ＲＡＭ（Random Access Memory）５２、ＲＯＭ（Read Only Memory）５３、タイマー５４、カウンター５５、および携帯電話機制御部（Ｐ制御部）５６を含むように構成されている。
【００４５】
切替回路５１は、Ｐ制御部５６の命令に基づいて、３つの増幅回路（ＴＳ増幅回路１６ａ・ＴＭ増幅回路１７ａ・ＯＳ増幅回路１８ａ）および外部機器接続端子部３５と、ベースバンド部１２との接続を切り替える（ＯＮ／ＯＦＦ）ものである。
【００４６】
ＲＡＭ５２は、Ｐ制御部５６による処理結果等を記憶するものである。特にこのＲＡＭ５２では、Ｐ制御部５６によって、着信電話番号を記憶するようになっている。
【００４７】
具体的には、着信電話番号を、複数種類に分けて記憶している（記憶工程）。例えば、ユーザーの知人等の電話番号（明瞭電話番号）と、ユーザー自身が知人等であるか否か判別できていない電話番号（不明瞭電話番号）との種類に分けて記憶されている。
【００４８】
なお、このように、ＲＡＭ５２に記憶された電話番号を履歴電話番号と表現する。
【００４９】
ＲＯＭ５３は、携帯電話機６９を動作させるための制御プログラム等を記憶するものである。
【００５０】
タイマー５４は、相手側の電話を受けたとき（すなわち着信したとき）からの呼出時間を計測するものである。
【００５１】
カウンター５５は、相手側の電話を受けたとき（すなわち着信したとき）からの呼出回数をカウント（計数）するものである。
【００５２】
Ｐ制御部（端末制御部）４９は、携帯電話機６９全体の動作制御等を行う中枢部分となっており、携帯電話機６９の各部材の駆動を有機的に制御して、統括制御するものである。
【００５３】
例えば、Ｐ制御部４９は、切替回路４６に切替信号を送信したり、電源ユニット４１の切替スイッチ４４に対して、切替信号を送信したりするようになっている。
〔携帯電話機での着信時の制御について〕
ここで、本発明の携帯電話機６９での着信時の制御について、図２、および図３〜図５のフローチャートを用いて説明する。具体的には、携帯電話機６９に電話がかかってきた場合（着信を受けた場合）、Ｐ制御部５６が、相手側の電話番号をどのようにＲＡＭ５２に記憶するかについて説明する。なお、フローチャートにおけるステップについては「Ｓ」と表記し、同一のステップには同番を付すものとする。
【００５４】
図３に示すように、相手側から本発明の携帯電話機６９に電話がかかってきた場合、すなわち携帯電話機通信部１３が電波信号を受信した場合、まず、Ｐ制御部５６は、外部用スピーカー８に着信音を放音させる。つまり、ユーザーに着信の旨を知らしめるようになっている（Ｓ１）。
【００５５】
すると、この着信を契機に、Ｐ制御部５６は、タイマー５４によって、相手側による呼出時間を計測する（Ｓ２）。そして、Ｐ制御部５６は、この計測された呼出時間（計測呼出時間）が予め規定しておいた閾呼出時間（およそ１〜２秒）を超えたか否かを判断する（Ｓ３）。
【００５６】
そして、この計測呼出時間が閾呼出時間を超えるような場合、通常、相手側はユーザーに目的等があって、電話をかけてきたものといえる。そこで、かかるような場合、この相手側の電話番号（着信電話番号）を明瞭な電話番号（明瞭電話番号；例えばユーザーの知人等の電話番号）としてＲＡＭ５２に記憶するようになっている（Ｓ４）。
【００５７】
一方、この計測呼出時間が閾呼出時間より短い場合、通常、相手側はユーザーに目的等があって、電話をかけてきたものとは考えづらい。例えば、故意に着信時の呼出回数を少なくして回線を切断し、相手側の携帯電話機に対して、発信者の電話番号を着信履歴として残させ、折り返し電話をさせるという、いわゆる「ワン切り」である可能性がある。
【００５８】
そこで、かかるような場合、この相手側の電話番号を不明瞭な電話番号（不明瞭電話番号；例えばワン切りをした先の電話番号）としてＲＡＭ５２に記憶するようになっている（Ｓ５）。
【００５９】
つまり、本発明の携帯電話機６９では、Ｐ制御部５６が、着信電話番号を複数種類（例えば、明瞭電話番号と不明瞭電話番号と）に分別して、ＲＡＭ５２に記憶させるようになっている（つまり、「Ｓ２・Ｓ３・Ｓ４」の工程、および「Ｓ２・Ｓ３・Ｓ５」の工程を経ることで、種類分けして記憶するようになっている；記憶工程）。
【００６０】
また、本発明の携帯電話機６９では、図３に示されるような種別方式のみで、着信電話番号を複数種類に分けているのではない。例えば図４に示すような種別方式でもよい。
【００６１】
具体的には、相手側からの着信を契機に、Ｐ制御部５６が、カウンター５５によって、相手側による呼出回数をカウント（計数）する（Ｓ１２）。そして、Ｐ制御部５６は、このカウントされた呼出回数（呼出カウント）が予め規定しておいた閾呼出カウント（１回）を超えたか否かを判断する（Ｓ１３）。
【００６２】
そして、この呼出カウントが閾呼出カウントよりも多い場合、この相手側の電話番号（着信電話番号）を明瞭な電話番号としてＲＡＭ５２に記憶するようにする一方、呼出カウントが閾呼出カウントより少ない場合、この相手側の電話番号を不明瞭な電話番号としてＲＡＭ５２に記憶するようになっている（Ｓ５；つまり、「Ｓ２・Ｓ１３・Ｓ４」の工程、および「Ｓ２・Ｓ１３・Ｓ５」の工程を経ることで、種類分けして記憶するようになっている；記憶工程）。
【００６３】
また、上述のような、タイマー５４やカウンター５５を設けることなく、着信電話番号を種類分けして記憶する方式（種別方式）であってもよい。例えば図５に示すように、Ｐ制御部５６が、相手側からの着信を契機に、ＲＡＭ５２に既に登録されている電話番号（具体的には、明瞭電話番号として記憶された履歴電話番号）か否かを確認する（Ｓ２１）。
【００６４】
そして、この確認によって、着信電話番号が明瞭電話番号として登録されていなければ、Ｐ制御部５６は、その着信電話番号を不明瞭な電話番号として、ＲＡＭ５２に記憶するようにしてもよい（Ｓ２２；「Ｓ２１」の工程、および「Ｓ２１・Ｓ２２」の工程を経ることで、種類分けして記憶するようになっている；記憶工程）。
【００６５】
なお、図３〜図５に示す種別方式を適宜組み合わせるようにしてもよいことはいうまでもない。
〔携帯電話機での発信時の制御について〕
次に、本発明の携帯電話機６９での発信時の制御について、図６、および図７のフローチャートを用いて説明する。具体的には、携帯電話機６９で電話をかけようとする場合（発信する場合）、Ｐ制御部５６が、自らの携帯電話機６９の電話番号を相手側の携帯電話機等に報知させるか否かについて説明する。なお、フローチャートにおけるステップについては「Ｓ」と表記し、同一のステップには同番を付すものとする。
【００６６】
図１に示すように、ユーザーがＲＡＭ５２に記憶された電話番号（履歴電話番号）に基づいて、電話をかけようとする場合、まず、表示部２３等に表示された履歴電話番号からかけたい相手側の電話番号を選択する（Ｓ３１）。
【００６７】
すると、Ｐ制御部５６は、選択された履歴電話番号が不明瞭な電話番号（不明瞭電話番号）として記憶されていたか否かについて判断する（Ｓ３２）。そして、この判断において、相手側の電話番号が不明瞭な電話番号であった場合、Ｐ制御部５６は、強制的に、その不明瞭な電話番号先の電話機に、自らの携帯電話機６９の電話番号を非通知とさせる処理（非通知処理）を行う。
【００６８】
具体的には、相手側の電話番号（履歴電話番号）の先端に「１８４」という番号を付加させる（Ｓ３３；非通知処理工程）。すると、ユーザーは、この付加を行った後で、相手側の電話機へ発呼（発信）、すなわち、Ｐ制御部５６が携帯電話機通信部１３へと発信命令を出すようになっている（Ｓ３４；発信工程）。
【００６９】
したがって、本発明の携帯電話機６９では、着信時の相手が知人等以外の疑わしい相手（例えば「ワン切り」等を行う業者）の場合、すなわち不明瞭電話番号として記憶されている電話番号の場合、その電話番号先の電話機に自らの電話番号を非通知とさせることができる。
【００７０】
なお、Ｓ３２の判断において、不明瞭な電話番号でなかった場合、すなわち明瞭な履歴電話番号と判断された場合（Ｓ３５）、表示部２３には「１８４」という番号が付加されることなく、相手側の電話番号が表示されるようになっている（Ｓ３６）。そして、ユーザーは、その相手先へと通常通りに電話できるようになっている（Ｓ３４）。
【００７１】
つまり、Ｐ制御部５６は、履歴電話番号を複数種類に分別してＲＡＭ５２に記憶させる一方、その複数種類に分けられた履歴電話番号のうち「不明瞭な電話番号」に発信が行われようとする場合、自らの発信電話番号を発信先で非通知とする非通知処理を施すようになっている。
【００７２】
このような本発明の携帯電話機６９であれば、不正受信の疑いのある着信番号も不明瞭な電話番号として、一応登録されるようになっている。つまり、あらゆる着信電話番号は登録されるものの、種類を分けて記憶されるようになっている。
【００７３】
そして、不明瞭な電話番号に発信しようとする場合、自らの電話番号を相手側に通知させないようにできる。つまり、本発明の携帯電話機６９では、不正受信の疑いのある着信番号にも発信できる一方、かかる場合、自らの電話番号を相手側に誤って通知してしまわないようになっている。
［実施の形態２］
本発明の実施の形態２について説明する。なお、実施の形態１で用いた・ステップと同様の機能を有する部材・ステップについては、同一の符号を付記し、その説明を省略する。
【００７４】
実施の形態１では、不明瞭な履歴番号に電話する場合、強制的に、Ｐ制御部５６が、「１８４」を相手側の電話番号に付加し、その相手側にユーザーの携帯電話機６９の電話番号を知らせないようになっていた。しかし、本発明の携帯電話機６９で「１８４」の番号を付加することが、強制である必要はない。
【００７５】
つまり、図６に示すように、ユーザーが不明瞭な電話番号に電話しようとする場合（Ｓ３２）、Ｐ制御部５６が表示部２３を使って、ユーザーに「１８４」を付加するか否かについて判断を促すような構成であってもよい（Ｓ４３；選択工程）。
【００７６】
このような判断可能なＳ４３がある場合、ユーザーは、入力ユニット３１を用いて、自ら「１８４」を付加させることができる（Ｓ４４）。一方、ユーザーが入力ユニット３１を用いて「１８４」を付加させなかった場合（Ｓ４５）、Ｐ制御部５６は、表示部２３に「１８４」を付加していない旨を表示（警告）させるようになっている（Ｓ４６）。
【００７７】
このように、ユーザーによる任意選択で「１８４」を選択できるようにしておけば、相手側への自らの電話番号通知における選択幅が広がることになる。
【００７８】
なお、Ｓ４３のステップにおいて、「１８４」を付加する選択を行わなかった場合、Ｐ制御部５６が、強制的に相手側への発信を停止させるようになっていてもよい（発信停止工程）。
［その他の実施の形態］
なお、本発明は上記の実施の形態に限定されず、本発明の趣旨を逸脱しない範囲で、種々の変更が可能である。例えば上述では携帯電話機を用いて説明しているが、固定電話機であってももちろんよい。
【００７９】
また、上述の説明では、相手先の電話番号の頭に「１８４」の番号を付加することで、自らの電話番号を相手先に電話機にて非通知とさせるサービス、すなわち、ＮＴＴ（日本電信電話）提供の電話番号非通知サービスを利用した場合について説明している。
【００８０】
しかし、これに限定されるものではなく、他の処理を施すものであってもよい。要は、自らの電話機の電話番号を相手側の電話機等にて確認できないような処理であればよい。
【００８１】
また、図７に示すように、相手側への発信（発呼）完了後、その相手側からの今後の電話（着信）を拒否するか否かについて、設定できるようになっていてもよい（Ｓ３７）。つまり、ユーザーが、入力ユニット３１を用いて、着信拒否設定（Ｓ３８）、または着信可能設定（Ｓ３９）を行えるようになっている。
【００８２】
また、表示部２３での表示をもって、ユーザーは種々情報（例えば「１８４」を付加すべきか否か等）を知ることができるようになっているが、これに限定されるものではない。例えば、外部スピーカー１８やＬＥＤ２２、バイブレーター２４やフラッシュ部２７等による音声、発光等を利用して、種々情報を取得できるようになっていてもよい。
【００８３】
なお、本発明の携帯電話機６９の各部（例えばＰ制御部４９等）は、それらを機能させるためのプログラム（例えば制御プログラム）でも実現される。そして、このプログラムは、コンピューターに実行させるためのプログラムであり、コンピューターに読み取り可能な記録媒体に記録することもできる。
【００８４】
その結果、報知制御プログラムを、記録媒体として、持ち運び自在に提供することができる。
【００８５】
なお、この記録媒体としては、マイクロコンピューターで処理が行われるために、メモリ、例えばＲＯＭのようなものがプログラムメディアであってもよい。また、外部記憶装置（不図示）として、プログラム読み取り装置が設けられ、そこに記録媒体を挿入することで読み取り可能なプログラムメディアであってもよい。
【００８６】
いずれの場合においても、格納されているプログラムは、マイクロプロセッサー（例えばＰ制御部５６）によるアクセスで実行させる構成であってもよい。あるいは、いずれの場合もプログラムを読み出し、読み出されたプログラムは、不図示のプログラム記憶エリアにダウンロードされた後に実行される方式であってもよい。なお、このダウンロード用のプログラムは予め本体装置（携帯電話機６９）に格納されているものとする。
【００８７】
ここで、上記プログラムメディアは、本体（携帯電話機６９）と例えば分離可能に構成される記録媒体であり、磁気テープやカセットテープ等のテープ系、フロッピーディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electronically Erasable and Programmable Read Only Memory）、フラッシュメモリ等による半導体メモリを含めた固定的にプログラムを担持する媒体であってもよい。
【００８８】
また、本発明の携帯電話機６９では、インターネットを含む通信ネットワークと接続可能な構成とすることもできる。そのため、通信ネットワークからプログラムをダウンロードするように流動的にプログラムを担持する媒体であってもよい。
【００８９】
なお、このように通信ネットワークからプログラムをダウンロードする場合には、そのダウンロード用のプログラムは予め本体装置（携帯電話機６９）に格納しておくか、あるいは別の記録媒体からインストールされるものであってもよい。
【産業上の利用可能性】
【００９０】
本発明は、携帯端末（例えば携帯電話機）と、それを充電させる充電装置とにおいて、有用である。
【図面の簡単な説明】
【００９１】
【図１】本発明の携帯電話機での発信時の工程を示すフローチャートである。
【図２】本発明の携帯電話機の内部構成を示すブロック図である。
【図３】本発明の携帯電話機での着信時の工程を示すフローチャートである。
【図４】図３の他の一例を示すフローチャートである。
【図５】図３・図４の他の一例を示すフローチャートである。
【図６】図１の他の一例を示すフローチャートである。
【図７】図１・図６の他の一例を示すフローチャートである。
【符号の説明】
【００９２】
１１    無線通信ユニット
１３    携帯電話機通信部
１８    外部用スピーカー（放音部）
２１    報知ユニット（報知部）
２２    ＬＥＤ（報知部）
２３    表示部（報知部）
２４    バイブレーター（報知部）
２７    フラッシュ部（報知部）
３１    入力ユニット（操作部）
３１ａ  テンキー（操作部）
３１ｅ  ４方向キー（操作部）
３１ｆ  ＥＮＴＥＲキー（操作部）
５９    制御ユニット
５２    ＲＡＭ（記憶部）
５３    ＲＯＭ
５４    タイマー（呼出時間計測部）
５５    カウンター（呼出回数カウント部）
５６    携帯電話機制御部（制御部）
６９    携帯電話機
７９    充電装置
【図１】
2006217345.tif 000003
【図２】
2006217345.tif 000004
【図３】
2006217345.tif 000005
【図４】
2006217345.tif 000006
【図５】
2006217345.tif 000007
【図６】
2006217345.tif 000008
【図７】
2006217345.tif 000009